(57)【要約】      （修正有）【課題】セルラーネットワークシステム及びそれにおいて放送通信とデータ通信との融合を実現する方法であって、セルラーネットワークを利用してビデオデータ放送及び端末とのデータ通信を行う。【解決手段】セルラーネットワークシステムは、中心制御ノード及び基地局を含む。中心制御ノードは制御情報を生成し、前記制御情報は、周波数割当て情報及びタイムスロット割当て情報とを含み、基地局に放送ビデオデータのためのタイムスロットで端末へビデオ放送データを送信させ、且つ基地局にデータ通信のためのタイムスロットで端末とデータ通信させるためのものである。ビデオ放送及びデータ通信をセクター化されたセルラーネットワークで融合するとともに、セクター化によるビデオ放送時のスペクトラム効率低下の問題を回避する。【選択図】図２
2008079312.tif 000002
【特許請求の範囲】
【請求項１】
セルラーネットワークシステムであって、
複数の基地局と接続され、制御情報を生成して、ネットワークにおける端末へのビデオ放送データの送信、及び端末とのデータ通信を行うように前記複数の基地局を制御するための中心制御ノードと、
ビデオ放送データを取得し、前記制御情報に基づき無線チャネルを介してビデオ放送データの端末への送信及び端末とのデータ通信を行う複数の基地局と、を含み、
前記制御情報は、周波数割当て情報とタイムスロット割当て情報とを含むことを特徴とするセルラーネットワークシステム。
【請求項２】
各基地局がカバーしている領域をセクターに分割し、
各基地局が、分割されたセクター数に対応する放送データ送受信手段と通信データ送受信手段とを含み、
該放送データ送受信手段は、ビデオ放送データを取得し、制御情報に基づき無線チャネルを介してビデオ放送データを端末に送信するためのものであり、
該通信データ送受信手段は、制御情報に基づき端末とデータ通信を行うためのものである、ことを特徴とする請求項１に記載のセルラーネットワークシステム。
【請求項３】
前記基地局が、中心制御ノードから受信した制御情報に基づいて、各々のセクターに対応する各放送データ送受信手段及び各通信データ送受信手段における動作周波数帯域及び動作タイムスロットを制御するための時間／周波数制御手段をさらに含むことを特徴とする請求項２に記載のセルラーネットワークシステム。
【請求項４】
前記放送データ送受信装置が、
コンテンツサーバからビデオ放送データを取得し、ビデオ放送データをパックして相応する放送データパケットを構成するためのリンク及びネットワークメッセージ処理ユニットと、
端末に送信された放送データパケットに対しベースバンド信号処理を行って、ベースバンド放送信号を形成するベースバンド処理ユニットと、
ベースバンド放送データパケットを相応する無線周波数放送信号に変換して送信するための無線周波数ユニットと、を含むことを特徴とする請求項２に記載のセルラーネットワークシステム。
【請求項５】
前記通信データ送受信装置が、
リンクプロトコルに従ってメッセージ伝送を制御し、通信データのメッセージをパックして相応する通信データパケットとを構成するためのリンク及びネットワークメッセージ処理ユニットと、
リンク及びネットワークメッセージ処理ユニットからの通信データパケットを符号化及び変調するとともに、無線周波数ユニットからの通信データを復号化及び復調するためのベースバンド処理ユニットと、
端末に送信されたベースバンド通信信号を相応する無線周波数信号に変換するとともに、端末から受信した無線周波数信号を相応するベースバンド通信信号に変換するための無線周波数ユニットと、を含む、ことを特徴とする請求項２に記載のセルラーネットワークシステム。
【請求項６】
セルラーネットワークにおいて放送通信とデータ通信とを実現する方法であって、
中心制御ノードが、ネットワークにおける各基地局がカバーしている各セクターに割り当てられる、それぞれ放送通信とデータ通信のための動作周波数帯域及び動作時間を含む制御情報を生成し、前記制御情報を各基地局に送信するステップと、
各基地局が、前記制御情報に基づき自身がカバーしているセクターを制御して、割り当てられた放送通信のための動作周波数帯域及び動作時間内に放送データを送信するとともに、割り当てられたデータ通信のための動作周波数帯域及び動作時間内に通信データを送受信するステップと、を含むことを特徴とする方法。
【請求項７】
セルラーネットワークにおける放送通信のための周波数帯域がセルラーネットワークの全ての周波数帯域、またはセルラーネットワークの全ての周波数帯域の一部であり、放送データの送信のための動作時間中に、セルラーネットワークに全ての基地局の各セクターは、放送時に同じ周波数帯域を用いて放送データを送信し、
放送データの送信のための動作時間が終了した後、基地局がカバーしている各セクターが、データ通信のための動作時間中に通信データを送信することを特徴とする請求項６に記載の方法。
【請求項８】
セルラーネットワークにおける放送通信のための周波数帯域がセルラーネットワークの全ての周波数帯域の一部である場合、セルラーネットワークの残りの周波数帯域を多重化因子に従ってセルラーネットワークシステム中の基地局に割り当てた後、さらに、各基地局がカバーしているセクターの数に基づき各セクター毎に相応する周波数帯域を割り当てることで、放送データを送信する動作時間中に、基地局の各セクターが放送通信とデータ通信とを同時に行うことを特徴とする請求項７に記載の方法。
【請求項９】
セルラーネットワークにおける放送通信のための周波数帯域がセルラーネットワークの全ての周波数帯域の一部であり、セルラーネットワークにおける全ての基地局がカバーしている各セクターが、同じ周波数帯域を用いて時間領域全体に放送データの送信を行い、
セルラーネットワークの残りの周波数帯域は、多重化因子に従ってセルラーネットワークにおける基地局に割り当てられ、そして、各基地局がカバーしているセクタの数に応じて、各セクター毎に相応する周波数帯域を割当て、セルラーネットワークにおける全ての基地局の各セクターは、割り当てられた周波数帯域を介して時間領域全体にわたって通信データを送受信することを特徴とする請求項６に記載の方法。
【発明の詳細な説明】
【技術分野】
【０００１】
本発明は、セルラーネットワークにおいて放送通信とデータ通信を実現する方法及び装置に関し、特に、移動通信ネットワークとデータ・ビデオ放送ネットワークとを融合する通信システム及び通信方法並びに装置に関する。
【背景技術】
【０００２】
従来、移動通信ネットワークには、セルラー構造を採用している。このようなセルラー構造は、通常、ボイスとデータユニキャスト（Ｕｎｉｃａｓｔ）業務のサポートにのみ用いられている。しかし、移動オーディオ・ビデオに対するニーズに伴い、移動通信市場で移動ビデオ放送業務も盛んで発展しつつある。特に、ブロードバンド無線技術の高速発展に伴い、伝統的な移動通信ネットワーク、無線Ｉｎｔｅｒｎｅｔデータネットワーク、放送ネットワークを如何に次世代の無線ネットワークに融合することに関する検討が盛んである。
【０００３】
図１は、移動ビデオ放送業務をサポートするネットワーク仕組みを示す図である。現在、移動ビデオ放送業務をサポートするのは、通常、下記の２つの方法を採用する。
【０００４】
第１の方法は、ＤＶＢ−Ｈシステム、ＤＭＢシステムなどのような個別の放送ネットワークを採用して、移動ビデオ放送業務をサポートする。ここで、ＤＶＢ−Ｈ又はＤＭＢシステムにおいて、コンテンツプロバイダーは、開発されたビデオコンテンツをコンテンツサーバに格納してから、インターネット（又は、専用ネットワーク）或いは衛星システムを介してビデオコンテンツを各地の放送局に送達し、放送局の放送発信塔によってビデオコンテンツを端末（例えば、携帯電話、ＰＤＡ、ノートブックコンピュータ、さらに車両用テレビなど）にブロードキャストする。これらのシステムは、通常、従来のセルラーネットワークとは別なものであり、移動通信をサポートできず、移動通信を行う場合には、相応するセルラーネットワークを構築する必要がある。そこで、移動通信とビデオ放送業務を同時に実現するには、2つの単独ネットワークが必要とされ、コストが高い。
【０００５】
第２の方法は、従来のセルラーネットワーク（例えば、ＧＰＲＳ、ＣＤＭＡ等）においてストリーム媒体を採用する方法によって、通信データと同様にビデオ業務をデータとして送信することで、セルラーネットワークの中でビデオ放送業務を実現する。この場合に、まず、コンテンツプロバイダーは、開発されたビデオコンテンツをコンテンツサーバに格納し、ストリーム媒体の方式を採用してセルラーネットワークを介してビデオコンテンツを端末に放送する。しかしながら、第２の方法について、伝統的なセルラーネットワークはビデオ放送のために設計されるものではないので、第２の方法が放送業務をサポートするとき、第１の方法と比較すると、各セルは同様のコンテンツを送信するとき、複数のコピーを別に送信する必要があり、このようにスペクトラム効率が低いという課題がある。
【０００６】
また、従来の多くのセルラーネットワークはセクター化に基づくもので、干渉を減少させ、容量を増加させる。セクター化に際して、各セクターは、通常、部分スペクトラムを使用する。そこで、セクターに基づく従来のセルラーネットワークを採用してビデオ放送を行うことは、より困難である。
【発明の開示】
【発明が解決しようとする課題】
【０００７】
本発明の目的は、セルラーネットワークを利用して放送通信とデータ通信を実現することができる、セルラーネットワークシステム及びセルラーネットワークシステムにおいて放送通信とデータ通信を実現する方法を提供することにある。
【課題を解決するための手段】
【０００８】
本発明の一側面によると、セルラーネットワークシステムであって、複数の基地局と接続され、制御情報を生成して、ネットワークにおける端末へのビデオ放送データの送信、及び端末とのデータ通信を行うように前記複数の基地局を制御するための中心制御ノードと、
ビデオ放送データを取得し、前記制御情報に基づき無線チャネルを介してビデオ放送データの端末への送信及び端末とのデータ通信を行う複数の基地局と、を備え、
前記制御情報は、周波数割当て情報とタイムスロット割当て情報とを含むセルラーネットワークシステムを提供する。
【０００９】
本発明の他の側面によると、セルラーネットワークにおいて放送通信とデータ通信とを実現する方法であって、
中心制御ノードが、ネットワークにおける各基地局がカバーしている各セクターに割り当てられる、それぞれ放送通信とデータ通信のための動作周波数帯域及び動作時間を含む制御情報を生成し、前記制御情報を各基地局に送信するステップと、
各基地局が、前記制御情報に基づき自身がカバーしているセクターを制御して、割り当てられた放送通信のための動作周波数帯域及び動作時間内に放送データを送信するとともに、割り当てられたデータ通信のための動作周波数帯域及び動作時間内に通信データを送受信するステップと、を含む方法。
【発明の効果】
【００１０】
本発明によると、セルラーネットワークにおいて放送通信及びデータ通信が実現でき、セクター化されたセルラーネットワークでビデオ放送及びデータ通信を融合するとともに、セクター化によるビデオ放送時のスペクトラム効率低下の問題を回避することができる。一方、当該発明は、放送・データ通信を１システムに有機的に融合するので、放送とデータ通信とが占用している周波数スペクトラム又は／及び時間資源を便利に動的調整することができ、周波数スペクトラムの使用効率を向上させる。
【００１１】
本発明の前記並びにその他の目的と新規な特徴は、以下に示す実施形態の説明を、以下のような添付図面と照らし合わせて読むと、より完全に明らかとなるであろう。
【発明を実施するための最良の形態】
【００１２】
以下、本発明の実施例について、図面を参照して詳しく説明する。説明には、本発明に対する理解の混淆を防ぐため、本発明にとって必要でない細部及び機能を省略する。
【００１３】
以下、本発明によるセルラーネットワークシステム、及び当該セルラーネットワークシステムを利用してビデオ放送とデータ通信を実現する方法について、図面を参照して説明する。
【００１４】
図２は、本発明の実施例によるセルラーネットワークシステムの全体構成を示す図である。図２に示すように、本実施例によるセルラーネットワークシステムは、中心制御ノードと、基地局１，２，…ｎと、コンテンツサーバと、ゲートウェイ／ルーターとを備える。
【００１５】
中心制御ノードは、それぞれ各基地局に接続され、制御情報を生成する。制御情報は、周波数割当て情報とタイムスロット割当て情報とを含み、ビデオ放送データを端末へ送信するように基地局を制御し、且つ、端末とデータ通信をするように基地局を制御する。
【００１６】
基地局は、ゲートウェイ／ルータを介してコンテンツサーバからビデオ放送データを取得し、無線チャネルを介してビデオ放送データを端末に送信するとともに、局端（未図示）及び端末とデータ通信を行う。
【００１７】
本実施例において、基地局はセクター化された基地局である。つまり、基地局がカバーしている範囲をセクターに分割する。１つの基地局のカバー範囲は、ｍ（ｍ≧１）個のセクターに分割可能である。ｍ>１の場合について、基地局のカバー範囲がｍ個のセクターに分割され、各セクターには指向性アンテナを採用してデータを送受信する。ｍ＝１の場合について、基地局がカバーしている範囲の全体を大きなセクターとして見なし、全方向性アンテナを採用してデータを送受信する。説明の便宜のために、ここでは、通常の３セクターの基地局として説明する。
【００１８】
３セクターの基地局において、１つの基地局のカバー範囲は３つのセクターに分割され、各セクターは指向性アンテナを採用してデータを送受信する。図３に示すように、第一の実施例において、基地局の対応する各セクターにおいて放送データの送信及び通信データの送受信を実現するためには、基地局にセクター毎に相応する放送データ送受信装置、通信データ送受信装置とを設置する必要がある。同一セクター内の放送データ送受信装置と通信データ送受信装置は、指向性アンテナを共通に使用してデータ送受信を行ってもよく、各々の指向性アンテナを採用してデータ送受信を行ってもよい。なお、放送データではセクターを区別する必要がないので、通信データと共通のアンテナを使用せず、１つの基地局がカバーしている３つのセクターに単一のアンテナを採用して放送データを発信してもよい。
【００１９】
また、基地局がカバーしているセクター毎に放送データの送信及び通信データの送受信を実現するために、基地局には相応する時間／周波数制御装置を設置し、中心制御ノードから受信した制御情報に基づいて、各セクターに対応する放送データ送受信装置と通信データ送受信装置との動作周波数及び動作タイムスロットを制御する。
【００２０】
図４は、本実施例による基地局における各セクターに対応する放送データ送受信装置の構成のブロック図を示す。図４に示すように、放送データ送受信装置は、リンク及びネットワークメッセージ処理ユニットと、ベースバンド処理ユニットと、無線周波数（RF）ユニットとを備える。リンク及びネットワークメッセージ処理ユニットは、コンテンツプロバイダーからビデオデータを取得するためのものであり、リンクプロトコルに従って放送データの伝送を制御し、ビデオ放送通信データをパックして相応する放送データパケットとする。ベースバンド処理ユニットは、端末に送信された放送データパケットに対しベースバンド信号処理を行って、ベースバンド放送信号を形成する。無線周波数ユニットは、ベースバンド放送データパケットを相応する無線周波数放送信号に変換してネットワークにおける端末に送信する。
【００２１】
図５は、本実施例による基地局における各セクターに対応する通信データ送受信装置の構成のブロック図を示す。図５に示すように、通信データ送受信装置は、リンク及びネットワークメッセージ処理ユニットと、ベースバンド処理ユニットと、無線周波数（RF）ユニットとを備えることができる。リンク及びネットワークメッセージ処理ユニットは、リンクプロトコルに従ってメッセージの伝送を制御し、通信データのメッセージをパックする。ベースバンド処理ユニットは、リンク及びネットワークメッセージ処理ユニットからの通信データを符号化して変調したり、無線周波数ユニットからの通信データを復号化して復調したりする。無線周波数ユニットは、端末に送信されたベースバンド通信信号を相応する無線周波数通信信号に変換したり、端末から受信された無線周波数通信信号を相応するベースバンド通信信号に変換する。
【００２２】
図６は、本実施例のセルラーネットワークが放送データの送信及び通信データの送受信を実現する方法のフローチャートを示す。ステップ１００において、中心制御ノードは制御情報を生成し、制御情報を各基地局における時間／周波数制御ユニットに送信する。制御情報は、中心制御ノードによって各基地局における各々のセクターに対応する放送データ送受信装置及び通信データ送受信装置に割り当てられる動作周波数帯域及び動作時間を含む。ステップ１１０において、基地局における時間／周波数制御ユニットは、中心制御ノードから提供された制御情報に基づいて、各々のセクターに対応する放送データ送受信装置が相応する動作周波数帯域及び動作時間内に放送データを送信することを制御するとともに、各々のセクターに対応する通信データ送受信装置が相応する動作周波数帯域及び動作時間内に通信データを送受信することを制御する。
【００２３】
注意すべき処は、本実施例において、中心制御ノードは、各基地局における各セクターに対応する放送データ送受信装置と通信データ送受信装置に直接接続可能であり、中心制御ノードで生成された制御情報を利用して、各セクターの放送データ送受信装置が相応する動作周波数帯域及び動作時間内に放送データを送信することを制御するとともに、各セクターの通信データ送受信装置が相応する動作周波数帯域及び動作時間内に通信データを送受信することを制御する。
【００２４】
本実施例において、中心制御ノードの制御情報は、各基地局における各セクターの放送データ送受信装置及び通信データ送受信装置が相応操作を実行するために割り当てられる資源（周波数と時間）を含む。以下、資源に係る具体的実例を説明する。
【００２５】
実例１
実例１の資源割当て方式によると、データ通信と放送通信とを時間領域にて分ける。セルラーネットワークシステムにおいて、放送通信に使用される周波数帯域は、セルラーネットワークシステムの周波数帯域全体であってもよく、セルラーネットワークの周波数帯域全体の一部であってもよい。セルラーネットワークシステムにおいて、放送通信に割り当てられる周波数帯域は共通に使用されるものである。つまり、セルラーネットワークにおけるすべての基地局の各セクターは、放送に際して同じ周波数帯域を介して放送データを送信する。
【００２６】
放送通信に使用される周波数帯域がセルラーネットワークの全部周波数帯域又は部分周波数帯域である場合、セルラーネットワークシステム中の基地局は、多重化因子に基づいてセルラーネットワークの周波数帯域全体を割り当てる。そして、各基地局のセクター数に基づいて、セクター毎に相応する周波数帯域をさらに割り当てる。例えば、セルラーネットワークの周波数帯域が２０ＭＨｚであり、多重化因子を３とすれば、セルラーネットワークにおける各セルの基地局に、共に６．７ＭＨｚが割り当てられ、基地局が３セクター基地局である場合、各セクターに２．２ＭＨｚが割り当てられる。放送に際して、全部基地局のすべてのアンテナが使用する周波数スペクトラムは、すべて２０ＭＨｚの帯域幅であってもよく、その中の一部の帯域幅のみを使用してもよい。
【００２７】
また、放送通信に割り当てられる周波数帯域がセルラーネットワークの部分周波数帯域である場合、残りの周波数帯域は多重化因子に従ってセルラーネットワークにおける基地局に割り当てられることができる。そして、各基地局がカバーしているセクター数に基づいて、各セクター毎に相応する周波数帯域を割り当てる。放送通信に使用される周波数帯域がデータ通信に使用される周波数帯域と異なるので、放送タイムスロットで放送通信とデータ通信とを同時に行うことができる。例えば、セルラーネットワークの周波数帯域が２０ＭＨｚ、放送通信に割り当てられる周波数帯域がａＭＨｚ、多重化因子が３である場合、セルラーネットワークにおける各セルの基地局は、いずれにも（２０−ａ）／３ＭＨｚの周波数帯域が割り当てられ、各基地局が３つのセクターをカバーしている場合、各セクターに（２０−ａ）／９ＭＨｚの周波数帯域が割り当てられる。
【００２８】
図７は、基地局が送信するフレームの構造を示す図である。中心制御ノードは、時間領域にてフレームを放送データを送受信する放送タイムスロットと、通信データを送受信する通信タイムスロットとに分ける。放送タイムスロットにおいて、基地局における各セクターに対応する放送データ送受信装置は、予め割り当てられる周波数帯域を使用して放送データ（同一な周波数チャネル又は異なる周波数チャネルの放送内容）を送信する。通信タイムスロットにおいて、基地局における各セクターに対応する通信データ送受信装置は、基地局で割り当てられるサブ周波数帯域を使用して通信データを送受信する。例えば、ここで  周波数帯域を平均割り当てる方式によって行ってもよい。即ち、基地局のデータ通信のための周波数帯域をＷＢとし、基地局が３つのセクターをカバーしている場合、ＷＢを３つのサブ周波数帯域（ＷＢ１，ＷＢ２，ＷＢ３）として平均に分ける。セクター１の通信データ送受信装置は、通信タイムスロットにＷＢ１を採用して通信データの送受信を行い、セクター２の通信データ送受信装置は、通信タイムスロットにＷＢ２を採用して通信データの送受信を行い、セクター３の通信データ送受信装置は、通信タイムスロットにＷＢ３を採用して通信データの送受信を行うこととなる。
【００２９】
このような割当て方式では、１つの放送タイムスロットで同一周波数チャネルの１つ又は複数の放送ＭＡＣフレームを送信したり、１つの放送タイムスロットで異なる周波数チャネルの複数の放送ＭＡＣフレームを送信したりすることができる。同様に、１つの通信タイムスロットで１つ又は複数のデータＭＡＣフレームを送信することができる。
【００３０】
図８は、実例１における資源割当て方式の一つであるスーパーフレーム構造を示す。中心制御ノードは、基地局におけるセクターに対応する放送データ送受信装置が放送タイムスロットに同一周波数チャネルの１つ又は複数の放送ＭＡＣフレームを送信することを制御し、通信タイムスロットにおいて、通信データ送受信装置は複数（Ｎとする）のデータＭＡＣフレームを送信し、各ＭＡＣフレームの長さが同じであってもよく、例えば３〜５msである。
【００３１】
このようにすると、図９に示すように、図８に示すスーパーフレームからなるスーパーフレーム群は、１回の放送に使用される。Ｎ＝１０であり、各ＭＡＣフレームが５msであり、２０個の周波数チャネルがあり、各周波数チャネルの内容が１回に１つのタイムスロットだけ送信される場合、端末は、ある放送周波数チャネルの放送データを５msだけバースト受信した後、（２０×１１×５−５）ms＝１０９５msだけ休止し、次回に同一周波数チャネルの放送データを受信するときに、５msだけ復活すればいい。このように、ある周波数チャネルの放送データを受信する時に、端末が休止状態から頻繁に復活されないように保証でき、従って、端末の電力消耗を節約できる。本実施例に採用されるフレーム、及びそれが構成するスーパーフレームを、実際の通信状況に応じて他の構造に設計してもよい。
【００３２】
以上、資源割当て方式について、セルラーネットワークにおける１つの基地局を例として説明する。セルラーネットワークシステムにおいて同期する全ての基地局について、放送タイムスロットで放送される放送データは、同一周波数チャネルの放送データであってもよく、異なる周波数チャネルの放送データであってもよい。
【００３３】
実例２
時間領域の全体にてデータ通信と放送通信とを同時に行うとき、セルラーネットワークにおける放送通信のための周波数帯域は、セルラーネットワークの全部周波数帯域の一部である。放送通信に割り当てられる周波数帯域は、セルラーネットワークシステムにおいて共通に使用されるものである。つまり、セルラーネットワークシステムにおける全部基地局の各セクターに対応する放送データ送受信装置は、放送時に同じ周波数帯域を用いて放送データの送信を行い、放送に際して時間的に連続放送することができる。
【００３４】
放送通信に割り当てられる周波数帯域がセルラーネットワークの部分周波数帯域である場合、残りの周波数帯域を多重化因子に従ってセルラーネットワークにおける基地局に割り当てた後、各基地局のセクター数に基づいて相応する周波数帯域をセクター毎に割り当てる。例えば、セルラーネットワークの周波数帯域が２０ＭＨｚ、放送通信に割り当てられる周波数帯域が２ＭＨｚ、多重化因子が３である場合、セルラーネットワークにおける各セルの基地局は、いずれにも（２０−２）／３＝６ＭＨｚが割り当てられている。基地局が３セクター基地局の場合、各セクターに２ＭＨｚが割り当てられる。このように、各基地局は、異なるセクターが放送データと通信データとを同時に送信するとき、互いに干渉しない。
【００３５】
図１０は、周波数領域にて放送と通信のための周波数帯域を割り当てるときに基地局が送信するフレームの構造を示す図である。中心制御ノードは、時間領域全体に亘ってサブ周波数帯域を用いて通信データを送受信するように、基地局がカバーしている各セクターの通信データ送受信装置を制御する。同時に、中心制御ノードは、時間領域全体に亘って所定の周波数帯域（セクターのサブ周波数帯域と異なる）を用いて放送データを送受信するように、基地局がカバーしている各セクターの放送データ送受信装置を制御する。
【００３６】
放送データを送信する周波数帯域をＷＢGとし、ある基地局に割り当てられる全ての周波数帯域をＷＢＪとする。３セクターの基地局について、各セクターの周波数帯域は、それぞれＷＢＪ１、ＷＢＪ２、ＷＢＪ３である。基地局における各セクターの放送データ送受信装置は、いずれもサブ周波数帯域ＷＢＧで動作し、基地局における各セクターの通信データ送受信装置は各々の動作周波数帯域で動作する。例えば、基地局におけるセクター１の通信データ送受信装置はＷＢＪ１を用いて通信データの送受信を行い、セクター２の通信データ送受信装置はＷＢＪ２を用いて通信データの送受信を行い、セクター３の通信データ送受信装置はＷＢＪ３を用いて通信データの送受信を行うこととなる。
【００３７】
図１１に示すように、このような割当て方式において、１つのスーパーフレームの放送フレームに同一周波数チャネルの１つ又は複数の放送ＭＡＣフレームを送信するか、または、１つの放送フレームに複数の周波数チャネルの放送ＭＡＣフレームを送信することができる。同様に、放送ＭＡＣフレームはデータＭＡＣフレームと長さが同じであってもよいし、異なってもよい。ネットワークにおける移動端末は、データ送受信時のみに復活状態になり、その他の時には休止状態に入ってもよい。
【００３８】
このように、図１２に示すように、図１２に示すスーパーフレームからなるスーパーフレーム群を採用して、１回の放送について、各周波数チャネル毎に１０個の放送フレームを占用すべきであり、各放送フレームは５msである。２０つの周波数チャネルが存在している場合、端末は、ある放送周波数チャネルの放送データを１０×５ms＝５０msだけバースト受信した後、１９×１０×５ms＝９５０msだけ休止し、次回に同一周波数チャネルの放送データを受信するときに、５０msだけ復活すればよい。このように、ある周波数チャネルの放送データを受信する時に、端末が休止状態から頻繁に復活されないように保証でき、従って、端末の電力消耗を節約できる。本実施例に採用されるフレーム、及びそれが構成するスーパーフレームを、実際の通信状況に応じて他の構造に設計してもよい。
【００３９】
以上、資源割当て方式について、セルラーネットワークシステムにおける１つの基地局を例として説明する。セルラーネットワークシステムにおける同期する全ての基地局について、同一放送タイムスロットで放送される放送データは、同一周波数チャネルの放送データであってもよいし、異なる周波数チャネルの放送データであってもよい。
【００４０】
本実施例のセルラーネットワークシステム及びそれにおいて放送通信とデータ通信を実現する方法によると、セクター化されたセルラーネットワークシステムにおいてビデオ放送とデータ通信とを融合することができると共に、セクター化によるビデオ放送時のスペクトラム効率低下の問題を回避することができる。また、中心制御ノードが放送と通信に割り当てられる時間及び／又は周波数スペクトラム資源を制御することで、周波数スペクトラムの利用効率を最大限に向上させることができる。
【００４１】
なお、本実施例は、各都会又は各区域におけるセルラーネットワークに適用されることができる。異なる都会又は区域について、同じ又はそれぞれ異なる周波数帯域を用いて放送通信とデータ通信を行ってもよい。
【００４２】
ここまで、本発明について好ましい実施例を合わせて説明した。当業者であれば本発明の精神及び範囲から逸脱しない限り、様々な変更、交換及び追加を行ってもよいことが理解されるはずである。そこで、本発明の範囲は前記特定の実施例に限られるものと理解してはならず、添付した請求項の範囲によって限定されるものである。
【図面の簡単な説明】
【００４３】
【図１】図１は、自身が移動ビデオ放送業務をサポートするネットワーク仕組みを示す図である。
【図２】図２は、本発明の第一の実施例によるセルラーネットワークの全体構成を示す図である。
【図３】図３は、本発明の第一の実施例によるセルラーネットワークにおける基地局の構成を示す図である。
【図４】図４は、本発明の第一の実施例による基地局における放送データ送受信装置の構成を示す図である。
【図５】図５は、本発明の第一の実施例による基地局における通信データ送受信装置の構成を示す図である。
【図６】図６は、本発明の第一の実施例によるセルラーネットワークを利用して放送データの送信及び通信データの送受信を実現する方法のフローチャートである。
【図７】図７は、本発明の資源割当ての実例１におけるフレームの構造を示す図である。
【図８】図８は、本発明の資源割当ての実例２におけるスーパーフレームの構造を示す図である。
【図９】図９は、図８のスーパーフレームの構造からなるスーパーフレーム群を示す図である。
【図１０】図１０は、本発明の資源割当ての実例２におけるフレーム構造を示す図である。
【図１１】図１１は、本発明の資源割当ての実例２におけるスーパーフレームの構造を示す図である。
【図１２】図１２は、図１１のスーパーフレームからなるスーパーフレーム群を示す図である。
【図１】
2008079312.tif 000003
【図２】
2008079312.tif 000004
【図３】
2008079312.tif 000005
【図４】
2008079312.tif 000006
【図５】
2008079312.tif 000007
【図６】
2008079312.tif 000008
【図７】
2008079312.tif 000009
【図８】
2008079312.tif 000010
【図９】
2008079312.tif 000011
【図１０】
2008079312.tif 000012
【図１１】
2008079312.tif 000013
【図１２】
2008079312.tif 000014